(57)【要約】【課題】組立が容易なレンズ鏡筒、光学装置及びレンズ鏡筒の製造方法を提供する。【解決手段】レンズ鏡筒１は、第１光学部品Ｌ２、第２光学部品Ｌ３および第３光学部品Ｌ４が順に配置された光学系を有するレンズ鏡筒であって、第１光学部品Ｌ２を保持する第１保持部材２０と、一端側に第３光学部品Ｌ４を保持し、他端側を貫通する第１開口部２３が側面に設けられた保持筒４０とを有し、保持筒４０の前記他端側に第１保持部材２０が連結された連結筒１００と、第２光学部品Ｌ３を保持し、少なくとも一部が連結筒１００の内部に配置された第２保持部材３０とを備える。【選択図】図２
2017181728.tif 000002
【特許請求の範囲】
【請求項１】
第１光学部品、第２光学部品および第３光学部品が順に配置された光学系を有するレンズ鏡筒であって、
前記第１光学部品を保持する第１保持部材と、一端側に前記第３光学部品を保持し、他端側を貫通する第１開口部が側面に設けられた保持筒とを有し、前記保持筒の前記他端側に前記第１保持部材が連結された連結筒と、
前記第２光学部品を保持し、少なくとも一部が前記連結筒の内部に配置された第２保持部材と、
を備えるレンズ鏡筒。
【請求項２】
請求項１に記載のレンズ鏡筒であって、
前記第１開口部における、前記光学系の光軸と垂直な方向の最大幅は、前記第２保持部材の直径より小さい
レンズ鏡筒。
【請求項３】
請求項１または２に記載のレンズ鏡筒であって、
前記光学系の光軸と平行に延びるガイドバーを備え、
前記連結筒は、外周面に前記ガイドバーが挿通される第１挿通部を有し、
前記第２保持部材は、前記連結筒の前記第１開口部より外側に突出し、前記ガイドバーが挿通される第２挿通部を有する
レンズ鏡筒。
【請求項４】
請求項１から３のいずれか１項に記載のレンズ鏡筒であって、
前記第１保持部材は、前記光軸方向に突出し少なくとも一部が前記第１開口部と係合する第１突出部を有するレンズ鏡筒。
【請求項５】
請求項１から４のいずれか１項に記載のレンズ鏡筒であって、
前記保持筒の側面には、前記他端側を貫通して延び且つ前記第１開口部と異なる第２開口部が設けられているレンズ鏡筒。
【請求項６】
請求項５に記載のレンズ鏡筒であって、
前記第１保持部材は、前記光軸方向に突出し少なくとも一部が前記第２開口部と係合する第２突出部を有するレンズ鏡筒。
【請求項７】
請求項５または６に記載のレンズ鏡筒であって、
前記保持筒は、前記第１開口部と前記第２開口部とによって分割された端面の少なくとも一方に、前記第１保持部の端部と係合する係合部を有する
レンズ鏡筒。
【請求項８】
請求項１から７のいずれか１項に記載のレンズ鏡筒を備える光学装置。
【請求項９】
第１光学部品を保持する第１保持部材、第２光学部品を保持する第２保持部材、および第３光学部品を配置するレンズ鏡筒の製造方法であって、
前記第３光学部品を一端側に保持し他端側を貫通して延びる開口部が側面に設けられた保持筒の前記他端側より、前記保持筒の内側へ前記第２保持部材を挿入し、
前記第１保持部材を前記保持筒の前記他端に連結する
レンズ鏡筒の製造方法。
【請求項１０】
請求項９に記載のレンズ鏡筒の製造方法であって、
前記第２保持部材を前記保持筒に挿入する前に、前記第２保持部材に絞り部材を取り付ける
レンズ鏡筒の製造方法。
【発明の詳細な説明】
【技術分野】
【０００１】
本発明は、レンズ鏡筒、光学装置及びレンズ鏡筒の製造方法に関するものである。
【背景技術】
【０００２】
カム機構及びガイドバー機構により複数のレンズ群を個別に移動させて焦点距離を変化させるズーム式のレンズ鏡筒がある。
このようなレンズ鏡筒において、従来、構成を簡略化させるために、２つのレンズ群を連結して一体的に移動させる移動筒と、移動筒の２つのレンズ群の間に挿入される中間レンズ群とを備えるものがある（特許文献１参照）。
【先行技術文献】
【特許文献】
【０００３】
【特許文献１】特開平５−６６３３５号公報
【発明の概要】
【０００４】
本発明のレンズ鏡筒は、第１光学部品、第２光学部品および第３光学部品が順に配置された光学系を有するレンズ鏡筒であって、前記第１光学部品を保持する第１保持部材と、一端側に前記第３光学部品を保持し、他端側を貫通する第１開口部が側面に設けられた保持筒とを有し、前記保持筒の前記他端側に前記第１保持部材が連結された連結筒と、前記第２光学部品を保持し、少なくとも一部が前記連結筒の内部に配置された第２保持部材とを備える構成とした。
を備えるレンズ鏡筒。
また、本発明の光学装置は、上記レンズ鏡筒を備える構成とした。
さらに、本発明のレンズ鏡筒の製造方法は、第１光学部品を保持する第１保持部材、第２光学部品を保持する第２保持部材、および第３光学部品を配置するレンズ鏡筒の製造方法であって、前記第３光学部品を一端側に保持し他端側を貫通して延びる開口部が側面に設けられた保持筒の前記他端側より、前記保持筒の内側へ前記第２保持部材を挿入し、前記第１保持部材を前記保持筒の前記他端に連結する。
【図面の簡単な説明】
【０００５】
【図１】実施形態のレンズ鏡筒１の光軸ＯＡに沿った断面図である。
【図２】レンズ鏡筒１の分解斜視図である。
【図３】（ａ）から（ｄ）は、４群レンズ筒４０への３群レンズ枠３０及び２群レンズ枠２０の取り付け方の順序を説明する図であり、光軸方向カメラボディ側から見た斜視図である。
【図４】（ａ）から（ｄ）は、４群レンズ筒４０への３群レンズ枠３０及び２群レンズ枠２０の取り付け方の順序を説明する図であり、光軸方向被写体側から見た斜視図である。
【図５】２群レンズ枠２０、３群レンズ枠３０、４群レンズ筒４０の、光軸方向被写体側であって、図４と異なる角度から見た斜視図である。
【図６】比較形態の２群レンズ枠２０’、３群レンズ枠３０’、４群レンズ筒４０’の、光軸方向被写体側から見た斜視図である。
【発明を実施するための形態】
【０００６】
以下、図面等を参照して、実施形態について説明する。図１は、実施形態のレンズ鏡筒１の光軸ＯＡに沿った断面図である。図２は、レンズ鏡筒１の分解斜視図である。
なお、本実施形態はカメラボディ２に対して着脱可能なレンズ鏡筒１について説明するが、これに限定されない。レンズ鏡筒とカメラボディとが一体のカメラであってもよい。
【０００７】
実施形態のレンズ鏡筒１は、被写体側から順に、１群レンズＬ１と、２群レンズＬ２と、３群レンズＬ３と、４群レンズＬ４とを備えるズームレンズである。
【０００８】
（１群レンズ枠１０）
１群レンズＬ１は、フォーカスレンズであり、１群レンズ枠１０に保持され、１群レンズ枠１０は１群レンズ摺動筒１１の被写体側端部に取り付けられている。
１群レンズ摺動筒１１のカメラボディ２側外周面には、後述するカムリング６０の内周面に設けられた台形めねじ６４と係合する台形おねじ１２が設けられている。
【０００９】
（２群レンズ枠２０、３群レンズ枠３０、４群レンズ筒４０）
２群レンズＬ２は２群レンズ枠２０に保持され、３群レンズＬ３は３群レンズ枠３０に保持され、４群レンズＬ４は４群レンズ筒４０に保持されている。これらの２群レンズ枠２０、３群レンズ枠３０及び４群レンズ筒４０の詳細については後述する。
【００１０】
（ガイドバー７０）
連結摺動筒１００及び３群レンズ枠３０は、ガイドバー７０によって直進ガイドされる。ガイドバー７０は、光軸ＯＡ方向に延在して設けられる軸状の部材である。
４群レンズ筒４０のカメラボディ２側端部の内側には、ガイドバー保持板７１が配置されている。ガイドバー保持板７１は固定筒５０にねじ止めされ、ガイドバー７０のカメラボディ２側端部を保持している。
ガイドバー７０の被写体側端部は、後述する固定筒５０から延びる第２延在部５４の被写体側端部に設けられたガイドバー軸受け部５５によって軸支される。
【００１１】
レンズ鏡筒１は、さらに、外周側に配置されたズームリング９０と、ズームリング９０のカメラボディ２側端部の内周側に配置された固定筒５０と、カムリング６０とを備える。
【００１２】
（ズームリング９０）
ズームリング９０は、レンズ鏡筒１の最外周に、回転可能に配置されている。
ズームリング９０の被写体側内周面には、内周側に凹形状に突起して設けられたカムフォロワ９１が円周方向３カ所に設けられている。そのカムフォロワ９１にはカムリング６０の立体カム６２が係合している。
【００１３】
また、ズームリング９０には、径方向に貫通する周溝９２が設けられている。周溝９２は円周に沿って形成されている。周溝９２に、固定筒５０に設けられた後述する回転制限ピン５１が挿入されている。ズームリング９０は、回転制限ピン５１によって、光軸ＯＡ方向の移動は規制されつつ、周溝９２の長さだけ周方向に回転可能となっている。
【００１４】
ズームリング９０のカメラボディ２側の内周面には、４群レンズ筒４０の摺動筒カムフォロワ２２、及び３群レンズ枠３０の３群カムフォロワ３２がそれぞれ係合する摺動筒カム溝４５及び３群カム溝４４が形成されている。
【００１５】
（固定筒５０）
ズームリング９０のカメラボディ２側の内周側には固定筒５０が配置されている。
固定筒５０は、カメラボディ２側の円筒部５０Ａと、円筒部５０Ａから光軸ＯＡ方向被写体側に延びる第１延在部５２と第２延在部５４及び第３延在部５９を備える。
【００１６】
固定筒５０の内側のガイドバー７０と対向する位置には直進案内溝５６が設けられている。後述する連結摺動筒１００及び３群レンズ枠３０には、それぞれ直進キー３７、４３が設けられている。これらの直進キー３７、４３を直進案内溝５６と係合させることによって、光軸ＯＡを法線とする面内におけるガイドバー７０を回転中心とするレンズ摺動筒の振れを規制している。
【００１７】
円筒部５０Ａのカメラボディ２側端部には、カメラボディ２との着脱用のバヨネットマウント８５が取り付けられている。
円筒部５０Ａのカメラボディ２側外周面には、ズームリング９０に設けられた前述の周溝９２に係合する、回転制限ピン５１が外周側に突起して設けられている。
【００１８】
（カムリング６０）
ズームリング９０のカメラボディ２側の、固定筒５０の前方内側には、カムリング６０が挿入されている。
カムリング６０の外周面には、１群直進キー６１が設けられている。１群直進キー６１は固定筒５０の第１延在部５２に設けられた第１直進溝５３と係合することにより、光軸ＯＡ方向に直進移動可能となっている。
【００１９】
カムリング６０の外周面には１群レンズ摺動筒１１のズーム軌跡を有する前述の立体カム６２が設けられている。立体カム６２は、ズームリング９０の被写体側内周面のカムフォロワ９１と係合している。立体カム６２及びカムフォロワ９１は周方向に略均等に３か所設けられている。
カムリング６０の内周面には前述の台形めねじ６４が設けられている。台形めねじ６４は、１群レンズ摺動筒１１の後部外周面に設けられた台形おねじ１２と係合している。
【００２０】
（引っ張りコイルばね６５）
カムリング６０と、固定筒５０の円筒部５０Ａとの間には、引っ張りコイルばね６５が取り付けられている。
引っ張りコイルばね６５のカメラボディ２側は、固定筒５０の円筒部５０Ａの、外側から内側に挿入されたピンに固定されている。また、引っ張りコイルばね６５の被写体側は、カムリング６０のカメラボディ２側端部に固定されている。引っ張りコイルばね６５は、光軸ＯＡ方向に延在して設けられており、カムリング６０のカメラボディ２側端部と円筒部５０Ａのピンとの間で光軸ＯＡ方向に付勢力が生じている。
【００２１】
次に、２群レンズ枠２０、３群レンズ枠３０、４群レンズ筒４０について説明する。
図３（ａ）から（ｄ）は、４群レンズ筒４０への３群レンズ枠３０及び２群レンズ枠２０の取り付け方の順序を説明する図であり、光軸ＯＡ方向カメラボディ側から見た斜視図である。
図４（ａ）から（ｄ）は、４群レンズ筒４０への３群レンズ枠３０及び２群レンズ枠２０の取り付け方の順序を説明する図であり、光軸ＯＡ方向被写体側から見た斜視図である。
図５は、２群レンズ枠２０、３群レンズ枠３０、４群レンズ筒４０の、光軸ＯＡ方向被写体側であって、図４と異なる角度から見た斜視図である。
【００２２】
（２群レンズ枠２０）
２群レンズ枠２０は、図３（ｄ）及び図４（ｄ）に示すように４群レンズ筒４０と連結されて一体となって連結摺動筒１００を構成する。
２群レンズ枠２０は、図３（ａ）に示すように、２群レンズＬ２の外周を保持する外周保持部２１と、その外周保持部２１の外縁部より光軸ＯＡ方向カメラボディ側に延びる第１突出部２６と第２突出部２７とが設けられている。
第１突出部２６と第２突出部２７とは、周方向において互いに約１８０度離間した位置に配置されている。
第１突出部２６と第２突出部２７とは略同様の形状であり、矩形部の光軸ＯＡ方向カメラボディ側の一方の角部を矩形に切り欠いたような略Ｌ字形状を有する。
【００２３】
第１突出部２６の角部が切り欠かれていない側の光軸ＯＡに沿った側部と、光軸ＯＡ方向カメラボディ側端部とには、径方向の内側が外側に対して突出したリブ部２６ａが形成されている。これらの側部と端部は、後述する第４レンズ枠４０の第１開口部２３が設けられている側面と接する。
また、第２突出部２７は、光軸ＯＡに沿った両側部と、光軸ＯＡ方向カメラボディ側端面とには、径方向の内側が外側に対して突出したリブ部２７ａが形成されている。これらの側部と端部も、後述する第４レンズ枠４０の第１開口部２３が設けられている側面と接する。
【００２４】
（４群レンズ筒４０）
（第１開口部２３及び第２開口部２４）
４群レンズ筒４０は、その側面に、光軸ＯＡ方向被写体側が貫通した第１開口部２３及び第２開口部２４が設けられている。すなわち、４群レンズ筒４０の光軸ＯＡ方向被写体側は、周方向に連続しておらず、２つの部分に分断されている。
【００２５】
（第１開口部２３）
４群レンズ筒４０の第１開口部２３は、図３（ａ）にそれぞれ異なる斜線を付して示すように、２つの矩形部分２３Ａと２３Ｂとを、光軸ＯＡ方向及び周方向に位置をずらして配置した形状を有する。
第１開口部２３の光軸ＯＡ方向被写体側の矩形部分２３Ｂは、４群レンズ筒４０の光軸ＯＡ方向被写体側を貫通している。
また、図３（ａ）に一点鎖線で示す第１開口部２３の光軸ＯＡと垂直な方向における最大幅Ｒ１は、３群レンズ枠３０の直径Ｒ２より小さい。
【００２６】
第１開口部２３の光軸ＯＡ方向カメラボディ側の矩形部分２３Ａの、矩形部分２３Ｂに対して周方向にずれた部分には、第１挿通部２５が配置されている。
第１挿通部２５は、ボディ側挿通部２５Ａと、被写体側挿通部２５Ｂとを含む。
ボディ側挿通部２５Ａは、矩形部分２３Ａにおける光軸ＯＡ方向カメラボディ側の端部からわずかに離間した部分に配置されている。
被写体側挿通部２５Ｂは、矩形部分２３Ａ光軸ＯＡ方向被写体側に設けられている。
ボディ側挿通部２５Ａ及び被写体側挿通部２５Ｂには、それぞれ、光軸ＯＡ方向を貫通する穴２５ａ、２５ｂが設けられている。その穴２５ａ、２５ｂには嵌合ブシュを介してガイドバー７０が挿通される。
【００２７】
図４に示すように、４群レンズ筒４０の第１開口部２３が設けられている光軸ＯＡに沿った側面には、上述の図２（ａ）等に示す２群レンズ枠２０の第１突出部２６のリブ部２６ａと係合する段部２３ａが設けられている。
段部２３ａとリブ部２６ａとは、２群レンズ枠２０を４群レンズ筒４０内に取り付ける際、互いに係合して重なり合う。これにより、２群レンズ枠２０及び４群レンズ筒４０（連結摺動筒１００）内部への外周面側からの光の侵入が防止される（遮光される）。
【００２８】
（第２開口部２４）
４群レンズ筒４０に設けられた第２開口部２４（図４，５に示す）は、第１開口部２３と略同形状で、且つ第２突出部２７の形と同形状で、第２突起部２７が係合すると閉塞される略Ｌ字形状を有する。
４群レンズ筒４０の第２開口部２４が設けられている部分の側面には、上述のリブ部２７ａと係合する段部２４ａ（図４）が設けられている。
この段部２４ａとリブ部２７ａとは、２群レンズ枠２０を４群レンズ筒４０内に取り付ける際、互いに係合して重なり合うことにより、２群レンズ枠２０及び４群レンズ筒４０（連結摺動筒１００）内部への外周面側からの光の侵入が防止される（遮光される）。
【００２９】
４群レンズ筒４０のボディ側挿通部２５Ａに隣接して、外周側に突起する摺動筒カムフォロワ２２が圧入固定されている。摺動筒カムフォロワ２２は、固定筒５０の穴を貫通して、後述するズームリング９０の摺動筒カム溝４５と係合する。
また、図４に示すように４群レンズ筒４０の光軸ＯＡ方向被写体側端面には２つの位置決め突起４６ａ、４６ｂが設けられている。
【００３０】
さらに、図５に示すように４群レンズ筒４０の第２開口部２４が設けられている部分の光軸ＯＡ方向カメラボディ側には直進キー４３が設けられている。
この直進キー４３は、図２に示す固定筒５０の直進案内溝５６と係合され、光軸ＯＡを法線とする面内における、ガイドバー７０を回転中心とした連結摺動筒１００の振れが規制される。
【００３１】
（３群レンズＬ３）
３群レンズ枠３０は、連結摺動筒１００の内部に配置される。
３群レンズ枠３０の外周には、外周側に突起する３群カムフォロワ３２が取り付けられている。３群カムフォロワ３２は、上述の４群レンズ筒４０の第１開口部２３から外周方向に突き出している。
３群カムフォロワ３２は、さらに、固定筒５０の穴を貫通して、ズームリング９０の３群カム溝４４と係合する。
【００３２】
３群レンズ枠３０の外周側には、外周から外方向に突出した第２挿通部３６が設けられている。
第２挿通部３６は、図３（ａ）に示すように光軸ＯＡ方向カメラボディ側のボディ側挿通部３６Ａと、光軸ＯＡ方向被写体側の被写体側挿通部３６Ｂとを有する。
第２挿通部３６（ボディ側挿通部３６Ａ及び被写体側挿通部３６Ｂ）には、光軸ＯＡ方向を貫通する穴３６ａ、３６ｂが設けられている。その穴３６ａ、３６ｂには嵌合ブシュを介してガイドバー７０が挿通される。
これにより、３群レンズ枠３０の光軸ＯＡ方向への直進移動がガイドされる。
【００３３】
３群レンズ枠３０には３群カムフォロワ３２が圧入固定されており、カムリング６０後側内周面の３群カム溝４４に係合している。
３群カムフォロワ３２は、第２挿通部３６（ボディ側挿通部３６Ａ及び被写体側挿通部３６Ｂ）と周方向においてずれた位置で、光軸ＯＡ方向においてはボディ側挿通部３６Ａ及び被写体側挿通部３６Ｂとの間に位置する。
【００３４】
図３に示すように２群レンズ枠２０の光軸ＯＡ方向カメラボディ側端面には２つの位置決め孔２８ａ、２８ｂ（２８ｂのみ図示）が設けられている。
この位置決め孔２８ａ、２８ｂに、４群レンズ筒４０の位置決め突起４６ａ、４６ｂが圧入される。
【００３５】
さらに、図５に示すように３群レンズ枠３０の外周には直進キー３７が設けられている。
この直進キー３７は、４群レンズ筒４０の直進キー４３とともに、図２に示す固定筒５０の直進案内溝５６と係合され、光軸ＯＡを法線とする面内における、ガイドバー７０を回転中心とした連結摺動筒１００の振れが規制される。
【００３６】
また、３群レンズ枠３０には絞り機構３５がねじ止めされている。また、３群レンズ枠３０には防振機構８０が含まれており、図３及び図５に示す電源供給、防振制御用の配線８１が設けられている。
【００３７】
次に、４群レンズ筒４０への３群レンズ枠３０及び２群レンズ枠２０の取り付け方を説明する。
まず、３群レンズ枠３０に絞り機構３５を取り付ける。
そして、図３（ａ），図４（ａ）に示すように、４群レンズＬ４が取り付けられた４群レンズ筒４０の光軸ＯＡ方向被写体側に、３群レンズ枠３０を配置する。
次いで、４群レンズ筒４０の内部へ光軸ＯＡ方向より３群レンズ枠３０を挿入し、図３（ｂ），図４（ｂ）の状態にする。
【００３８】
この際、４群レンズ筒４０の側面には、光軸ＯＡ方向被写体側を貫通する開口部２３，２４が設けられている。このため、３群レンズ枠３０の外周側より第２挿通部３６と直進キー３７とが突出していても、干渉することなく、３群レンズ枠３０を光軸ＯＡ方向から挿入可能となっている。
【００３９】
また、３群レンズ枠３０の配線８１は、４群レンズ筒４０の後側端面に開けられた配線用開口部４８を通じて、３群レンズ枠３０同様に光軸ＯＡ方向から挿入可能となっている。
【００４０】
そして、図３（ｂ），図４（ｂ）に示すように４群レンズ筒４０に対して３群レンズ枠３０を光軸ＯＡを中心として回転させて、図３（ｃ），図４（ｃ）の状態にする。
このとき、３群レンズ枠３０のボディ側挿通部３６Ａは、４群レンズ筒４０のボディ側挿通部２５Ａと被写体側挿通部２５Ｂとの間に挿入される。３群レンズ枠３０の被写体側挿通部３６Ｂは、４群レンズ筒４０の被写体側挿通部２５Ｂの光軸ＯＡ方向被写体側の隙間に挿入される。
【００４１】
そして、図３（ｄ），図４（ｄ）に示すように、２群レンズ枠２０を４群レンズ筒４０に取り付ける。
ここで、４群レンズ筒４０の光軸ＯＡ方向被写体側端面に設けられた２つの位置決め突起４６ａ、４６ｂが、２群レンズ枠２０の光軸ＯＡ方向カメラボディ側端面に設けられた２つの位置決め孔２８ａ、２８ｂ（図３（ａ）から（ｃ）に２８ｂのみ図示）に圧入される。
これにより、２群レンズ枠２０は、４群レンズ筒４０に対して位置決め及び固定される。
【００４２】
なお、２群レンズ枠２０を４群レンズ筒４０に固定する方法としては、圧入以外にも嵌合接着、スナップフィット、２群レンズ枠２０及び連結摺動筒１００外周の境界部分にテープを貼る方法も考えられる。
各方式の利点としては、嵌合接着は強固に接着できること、スナップフィットは工数が少なく容易に組み立てられること、テープ貼付は分解して容易に再調整が可能なことがあげられる。
【００４３】
以上、本実施形態のレンズ鏡筒１は、上記構成によりズームリング９０を回転すると、１群レンズ摺動筒１１、連結摺動筒１００、３群レンズ枠３０が光軸ＯＡ方向に直進移動してズーミングが行われる。
また、１群レンズ摺動筒１１が回転しながら光軸ＯＡ方向に移動すると、フォーカシングも行われる。
【００４４】
（比較形態）
図６は比較形態の２群レンズ枠２０’、３群レンズ枠３０’、４群レンズ筒４０’の、光軸ＯＡ方向被写体側から見た斜視図である。
【００４５】
比較形態は、第１開口部２３’が、４群レンズ筒４０’の光軸ＯＡ方向被写体側を貫通していない。すなわち、４群レンズ筒４０’の光軸ＯＡ方向被写体側は、全周を覆っている。
また、第１開口部２３’の光軸ＯＡと垂直な断面における最大幅Ｒ１’は、３群レンズ枠３０’の直径Ｒ２’より大きい。
【００４６】
比較形態の組立工程では、３群レンズ枠３０’を、４群レンズ筒４０’の第１開口部２３’から光軸ＯＡと直交する方向から挿入する。
しかし、３群レンズ枠３０’と絞り機構が一体となっている場合、第１開口部２３’に対して挿入する部品が大きくなり、部品の干渉により４群レンズ筒４０’から挿入できない。
【００４７】
したがって、比較形態では、３群レンズ枠３０’を４群レンズ筒４０’の第１開口部２３’から挿入し、絞り機構３５’を４群レンズ筒４０’の光軸ＯＡ方向被写体側から挿入する。そして、これらを４群レンズ筒４０’内でねじ止めする。
【００４８】
このため、比較形態によると、３群レンズ枠３０’と絞り機構３５’との組立精度の維持が難しく、組立工数も増加する。
また、第１開口部２３’の光軸ＯＡと垂直な方向における最大幅Ｒ１’は、３群レンズ枠３０’の直径Ｒ２’より大きいので、４群レンズ筒４０’と２群レンズ枠２０’とが一体となって連結摺動筒を構成した場合であっても、連結摺動筒１００の強度が弱い。
【００４９】
しかし、実施形態によれば、４群レンズ筒４０に開口部２３，２４を設け、その開口部２３，２４は、４群レンズ筒４０の一端を貫通している。
したがって、３群レンズ枠３０の外周側より第２挿通部３６と直進キー３７とが突出していても、干渉することなく、３群レンズ枠３０を光軸ＯＡ方向から挿入可能となっている。
これにより、組み立てが容易となり、例えば自動組み立ても可能となる。さらに配線の取り回しも容易になる。
【００５０】
また、第１開口部２３の光軸ＯＡと垂直な方向における最大幅Ｒ１は、３群レンズ枠３０の直径Ｒ２より小さい。したがって、４群レンズ筒４０と２群レンズ枠２０とが一体となって連結摺動筒１００を構成した場合、連結摺動筒１００の強度が強い。
【００５１】
さらに、実施形態によると、４群レンズ筒４０に開口部２３，２４を設け、その開口部２３，２４は、４群レンズ筒４０の一端を貫通している。
しかし、２群レンズ枠２０には、光軸ＯＡ方向カメラボディ側に延びる第１突出部２６と第２突出部２７とが設けられている。
この第１突出部２６と第２突出部２７とは、４群レンズ筒４０と２群レンズ枠２０とが組み立てられて連結摺動筒１００を形成したときに、第１開口部２３の一部及び第２開口部２４を覆うので、連結摺動筒１００の強度を向上させることができる。
【００５２】
さらに第１突出部２６と第２突出部２７とが第１開口部２３の一部及び第２開口部２４を覆う際に、段部２３ａとリブ部２６ａとが、互いに係合して重なり合う。そして、段部２４ａとリブ部２７ａとが、互いに係合して重なり合う。これにより、２群レンズ枠２０及び４群レンズ筒４０（連結摺動筒１００）内部への外周側からの光の侵入が防止される（遮光される）。
【００５３】
４群レンズ筒４０の光軸ＯＡ方向被写体側端面に設けられた２つの位置決め突起４６ａ、４６ｂが、２群レンズ枠２０の光軸ＯＡ方向カメラボディ側端面に設けられた２つの位置決め孔２８ａ、２８ｂ（２８ｂのみ図示）に圧入される。
これにより、２群レンズ枠２０は、４群レンズ筒４０に対して位置決め及び固定される。
【００５４】
以上、説明した実施形態に限定されることなく、種々の変形や変更が可能であり、それらも本発明の範囲内である。
【符号の説明】
【００５５】
Ｌ１：１群レンズ、Ｌ２：２群レンズ、Ｌ３：３群レンズ、Ｌ４：４群レンズ、ＯＡ：光軸、１：レンズ鏡筒、２：カメラボディ、１０：１群レンズ枠、２０：第１保持部、２０：２群レンズ枠、２３：第１開口部、２３：開口部、２３ａ：段部、２４：第２開口部、２４ａ：段部、２５：第１挿通部、２６：第１突出部、２６ａ：リブ部、２７：第２突出部、２７ａ：リブ部、２８ａ：位置決め孔、２８ｂ：位置決め孔、３０：第２保持部、３０：３群レンズ枠、３６：第２挿通部、４０：４群レンズ筒、４６ａ：位置決め突起、４６ｂ：位置決め突起、８１：配線、１００：連結摺動筒
【図１】
2017181728.tif 000003
【図２】
2017181728.tif 000004
【図３】
2017181728.tif 000005
【図４】
2017181728.tif 000006
【図５】
2017181728.tif 000007
【図６】
2017181728.tif 000008